(57)【要約】【課題】通風抵抗が小さく、空気調和機のメンテナンスを行う作業者などの指が空気調和機内のファンに触れることを確実に防止する保護カバー及びそれを備えた空気調和機を提供する。【解決手段】室内機のベルマウスには、保護カバー（５０）が空気吸込口を覆うようにねじ止め固定されている。保護カバー（５０）は、同心円状に配設された複数の環状部材（５２）を備えている。相隣り合う環状部材（５２，５２）間には、放射状に延びる複数の放射状部材（５３）がそれぞれ架設されている。相隣り合う環状部材（５２，５２）の間隔が、その両環状部材（５２，５２）間で相隣り合う放射状部材（５３，５３）の各間隔よりも大きい。【選択図】図３
2007205631.tif 000002
【特許請求の範囲】
【請求項１】
空気調和機（１）に設けられた空気吸込口（１１）を覆う保護カバーであって、
同心円状に配設された複数の環状部材（５２）を備え、
相隣り合う環状部材（５２，５２）間には、放射状に延びる複数の放射状部材（５３）がそれぞれ架設され、
相隣り合う環状部材（５２，５２）の間隔が、該両環状部材（５２，５２）間で相隣り合う放射状部材（５３，５３）の各間隔よりも大きいことを特徴とする保護カバー。
【請求項２】
請求項１記載の保護カバーにおいて、
相隣り合う環状部材（５２，５２）間で相隣り合う放射状部材（５３，５３）の各間隔は略同一であることを特徴とする保護カバー。
【請求項３】
請求項２記載の保護カバーにおいて、
上記複数の環状部材（５２）として、少なくとも、径方向内側から外側に向かって順に配設された第１、第２及び第３環状部材（５２ａ，５２ｂ，５２ｃ）を備え、
上記第２及び第３環状部材（５２ｂ，５２ｃ）間の放射状部材（５３）の数が上記第１及び第２環状部材（５２ａ，５２ｂ）間の放射状部材（５３）の数よりも多いことを特徴とする保護カバー。
【請求項４】
請求項１〜３のいずれか１つに記載の保護カバーにおいて、
上記環状部材（５２）の空気流通方向長さが上記放射状部材（５３）の空気流通方向長さよりも短いことを特徴とする保護カバー。
【請求項５】
請求項１〜４のいずれか１つに記載の保護カバーにおいて、
上記放射状部材（５３）の横断面形状が略翼形であることを特徴とする保護カバー。
【請求項６】
請求項１〜５のいずれか１つに記載の保護カバーにおいて、
樹脂成形されていることを特徴とする保護カバー。
【請求項７】
空気吸込口（１１）が設けられた空気調和機であって、
上記空気吸込口（１１）を覆う請求項１〜６のいずれか１つに記載の保護カバー（５０）を備えたことを特徴とする空気調和機。
【請求項８】
請求項７記載の空気調和機において、
ベルマウス（１６）をさらに備え、
上記保護カバー（５０）は、上記ベルマウス（１６）に着脱可能に固定されていることを特徴とする空気調和機。
【請求項９】
請求項７記載の空気調和機において、
ベルマウス（１６）をさらに備え、
上記保護カバー（５０）は、上記ベルマウス（１６）と一体に成形されていることを特徴とする空気調和機。
【発明の詳細な説明】
【技術分野】
【０００１】
本発明は、保護カバー及びそれを備えた空気調和機に関するものである。
【背景技術】
【０００２】
従来から、天井埋込型空気調和機のケーシングに設けられた空気吸込口を覆う保護カバーが知られている。この保護カバーは、空気調和機のメンテナンスを行う作業者などの指がケーシング内のファンに触れることを防止するためのものである。特許文献１のものは、保護カバーは格子状の網目部を有している。
【特許文献１】特開２０００−１１１０８７号公報
【発明の開示】
【発明が解決しようとする課題】
【０００３】
ところで、上記網目部の網目の大きさが小さいと、作業者などの指がファンに触れることを確実に防止できるが、通風抵抗が大きくなり、これに伴って、通風騒音が大きくなる。一方、網目の大きさが大きいと、通風抵抗は小さくなるが、作業者などの指がファンに触れるおそれがある。
【０００４】
そこで、本発明者たちは、通風抵抗が小さく、作業者などの指がファンに触れることを確実に防止する保護カバーを開発した。
【０００５】
本発明は、かかる点に鑑みてなされたものであり、その目的とするところは、通風抵抗が小さく、空気調和機のメンテナンスを行う作業者などの指が空気調和機内のファンに触れることを確実に防止する保護カバー及びそれを備えた空気調和機を提供することにある。
【課題を解決するための手段】
【０００６】
第１の発明は、空気調和機に設けられた空気吸込口を覆う保護カバーであって、同心円状に配設された複数の環状部材を備え、相隣り合う環状部材間には、放射状に延びる複数の放射状部材がそれぞれ架設され、相隣り合う環状部材の間隔が、該両環状部材間で相隣り合う放射状部材の各間隔よりも大きいことを特徴とするものである。
【０００７】
これにより、相隣り合う環状部材の間隔を、その両環状部材間で相隣り合う放射状部材の各間隔よりも大きくしたので、環状部材と放射状部材とで囲まれた網目の径方向長さが比較的長くなり、その周方向長さが比較的短くなる。このように、網目の径方向長さが比較的長いので、通風抵抗が小さくなり、これに伴って、通風騒音が小さくなる。また、網目の周方向長さが比較的短いので、空気調和機のメンテナンスを行う作業者などの指が網目を通ることを防止できる。そのため、作業者などの指が空気調和機内のファンに触れることを確実に防止できる。
【０００８】
以上の結果、通風抵抗を小さくしながら、作業者などの指が空気調和機内のファンに触れることを確実に防止できる。
【０００９】
第２の発明は、上記第１の発明において、相隣り合う環状部材間で相隣り合う放射状部材の各間隔は略同一であることを特徴とするものである。
【００１０】
これにより、相隣り合う環状部材間で相隣り合う放射状部材の各間隔を略同一にしたので、相隣り合う環状部材間で相隣り合う放射状部材の各間隔を異ならせた場合と比較して、空気調和機のメンテナンスを行う作業者などの指が網目を通ることを一層防止できる。そのため、作業者などの指が空気調和機内のファンに触れることを一層確実に防止できる。
【００１１】
第３の発明は、上記２の発明において、上記複数の環状部材として、少なくとも、径方向内側から外側に向かって順に配設された第１、第２及び第３環状部材を備え、上記第２及び第３環状部材間の放射状部材の数が上記第１及び第２環状部材間の放射状部材の数よりも多いことを特徴とするものである。
【００１２】
ところで、第１、第２及び第３環状部材の周方向長さはこの順に長くなるので、第２及び第３環状部材間の放射状部材の数を第１及び第２環状部材間の放射状部材の数と同一又はこれよりも少なくすると、第２及び第３環状部材間で相隣り合う放射状部材の各間隔は第１及び第２環状部材間で相隣り合う放射状部材の各間隔よりも大きくなる。この場合、空気調和機のメンテナンスを行う作業者などの指が第２及び第３環状部材間の網目を通って空気調和機内のファンに触れるおそれがある。
【００１３】
ここで、本発明によれば、第２及び第３環状部材間の放射状部材の数を第１及び第２環状部材間の放射状部材の数よりも多くしたので、第２及び第３環状部材間で相隣り合う放射状部材の各間隔は第１及び第２環状部材間で相隣り合う放射状部材の各間隔と略同一にし得る。そのため、空気調和機のメンテナンスを行う作業者などの指が第２及び第３環状部材間の網目を通ることを防止できる。したがって、作業者などの指が空気調和機内のファンに触れることを一層確実に防止できる。
【００１４】
第４の発明は、上記第１〜第３の発明のいずれか１つにおいて、上記環状部材の空気流通方向長さが上記放射状部材の空気流通方向長さよりも短いことを特徴とするものである。
【００１５】
これにより、環状部材の空気流通方向長さを放射状部材の空気流通方向長さよりも短くしたので、環状部材の空気流通方向長さが比較的短くなる。そのため、通風抵抗が一層小さくなり、これに伴って、通風騒音が一層小さくなる。
【００１６】
第５の発明は、上記第１〜第４の発明のいずれか１つにおいて、上記放射状部材の横断面形状が略翼形であることを特徴とするものである。
【００１７】
これにより、放射状部材の横断面形状を略翼形にしたので、通風抵抗が一層小さくなり、これに伴って、通風騒音が一層小さくなる。
【００１８】
第６の発明は、上記第１〜第５の発明のいずれか１つにおいて、樹脂成形されていることを特徴とするものである。
【００１９】
これにより、保護カバーを樹脂成形したので、金属で成形した場合と比較して、コストダウンできる。
【００２０】
第７の発明は、空気吸込口が設けられた空気調和機であって、上記空気吸込口を覆う上記第１〜第６の発明のいずれか１つを備えたことを特徴とするものである。
【００２１】
第８の発明は、上記第７の発明において、ベルマウスをさらに備え、上記保護カバーは、上記ベルマウスに着脱可能に固定されていることを特徴とするものである。
【００２２】
これにより、保護カバーをベルマウスに着脱可能に固定しているので、空気調和機の利便性を向上させることができる。
【００２３】
第９の発明は、上記第７の発明において、ベルマウスをさらに備え、上記保護カバーは、上記ベルマウスと一体に成形されていることを特徴とするものである。
【００２４】
これにより、保護カバーをベルマウスと一体に成形しているので、一体に成形していない場合と比較して、コストダウンできる。
【発明の効果】
【００２５】
本発明によれば、相隣り合う環状部材の間隔を、その両環状部材間で相隣り合う放射状部材の各間隔よりも大きくしたので、環状部材と放射状部材とで囲まれた網目の径方向長さが比較的長くなり、その周方向長さが比較的短くなる。そのため、通風抵抗を小さくしながら、作業者などの指が空気調和機内のファンに触れることを確実に防止できる。
【発明を実施するための最良の形態】
【００２６】
以下、本発明の実施形態を図面に基づいて詳細に説明する。
【００２７】
図１は、室内機の断面図であり、図２は、ケーシングの一部をその下側から見た様子を示す斜視図であり、図３は、保護カバーの平面図であり、図４は、環状部材の横断面図であり、図５は、放射状部材の横断面図である。
【００２８】
図１に示すように、本実施形態に係る室内機（空気調和機に相当）（１）は、室内の天井裏に埋設配置された天井埋込型のものである。室内機（１）は、天井（Ｆ）の上側に埋設配置された略直方体状のケーシング（１０）と、そのケーシング（１０）の底面に装着された略正方形状の化粧パネル（３０）とを備えている。
【００２９】
ケーシング（１０）の底部の中央部には、略円状の空気吸込口（１１）が設けられている。ケーシング（１０）の底部の空気吸込口（１１）の周囲には、略長方形状の４つの空気吹出口（１２）が空気吸込口（１１）を囲むように形成されている。ケーシング（１０）内における空気吸込口（１１）と空気吹出口（１２）とを結ぶ空気通路（１３）には、ファン（１４）が配設されている。ケーシング（１０）内におけるファン（１４）の下方（吸込み側）には、ベルマウス（１６）が配設されている。このベルマウス（１６）は、樹脂成形されている。
【００３０】
ケーシング（１０）内のファン（１４）の周囲には、熱交換器（１７）がファン（１４）を囲むように配設されている。この熱交換器（１７）は、例えばクロスフィンコイル型のものである。熱交換器（１７）は、平面視で略正方形状に形成されている。ケーシング（１０）内の熱交換器（１７）の下方には、ドレンパン（１８）が熱交換器（１７）に対応するように配設されている。このドレンパン（１８）は、熱交換器（１７）からのドレン水（Ｄ）を溜めるためのものである。ドレンパン（１８）は、平面視で略正方形状でかつ横断面略Ｕ字状に形成されている。ドレンパン（１８）には、排水ポンプ（１９）が配設されている。この排水ポンプ（１９）は、ドレンパン（１８）に溜まったドレン水（Ｄ）を排出するためのものである。
【００３１】
化粧パネル（３０）の中央部には、略正方形状の空気吸込口（３１）がケーシング（１０）の空気吸込口（１１）に対応するように形成されている。化粧パネル（３０）の空気吸込口（３１）の周囲には、略長方形状の４つの空気吹出口（３２）が空気吸込口（３１）を囲むように形成されている。これらの空気吹出口（３２）は、ケーシング（１０）の各空気吹出口（１２）にそれぞれ対応するように配置されている。
【００３２】
図１及び図２に示すように、ベルマウス（１６）には、保護カバー（５０）が空気吸込口（１１）を覆うようにねじ止め固定されている。この保護カバー（５０）は、室内機（１）のメンテナンスを行う作業者などの指がケーシング（１０）内のファン（１４）に触れることを防止するための網状のものである。保護カバー（５０）は、樹脂成形されている。
【００３３】
図３に示すように、保護カバー（５０）は、中心部材（５１）と、その中心部材（５１）を中心として同心円状に配設された複数の環状部材（５２）とを備えている。本実施形態では、上記複数の環状部材（５２）として第１〜第６環状部材（５２ａ〜５２ｆ）が径方向内側から外側に向かって順に配設されている。各環状部材（５２）は棒状のものであり、その横断面形状は略円状である（図４を参照）。第３及び第４環状部材（５２ｃ，５２ｄ）、第４及び第５環状部材（５２ｄ，５２ｅ）、並びに第５及び第６環状部材（５２ｅ，５２ｆ）の間隔はそれぞれほぼ同一である。第２及び第３環状部材（５２ｂ，５２ｃ）の間隔は、第３及び第４環状部材（５２ｃ，５２ｄ）の間隔よりも大きい。中心部材（５１）及び第１環状部材（５２ａ）、並びに第１及び第２環状部材（５２ａ，５２ｂ）の間隔はそれぞれほぼ同一であって、第３及び第４環状部材（５２ｃ，５２ｄ）の間隔よりも小さい。第６環状部材（５２ｆ）は、一部が直線状に形成され、これ以外の一部が径方向内側に凹んだ段差状に形成されている。第６環状部材（５２ｆ）には、４つの固定板（５４）が径方向外側に延びるように取付け固定されている。これらの固定板（５４）には、略円状のねじ挿通穴（５４ａ）がそれぞれ形成されている。
【００３４】
相隣り合う中心部材（５１）及び環状部材（５２）間、並びに相隣り合う環状部材（５２，５２）間には、放射状に延びる複数の放射状部材（５３）がそれぞれ掛け渡されている。各放射状部材（５３）は棒状のものであり、その横断面形状は略円状である（図５を参照）。各放射状部材（５３）の空気流通方向長さ（上下方向長さ。図３の紙面を貫く方向の長さ）は、各環状部材（５２）の空気流通方向長さとほぼ同一である。
【００３５】
相隣り合う環状部材（５２，５２）の間隔は、その両環状部材（５２，５２）間で相隣り合う放射状部材（５３，５３）の各間隔よりも大きく、相隣り合う環状部材（５２，５２）間で相隣り合う放射状部材（５３，５３）の各間隔はほぼ同一である。このため、環状部材（５２）と放射状部材（５３）とで囲まれた網目（５５）の径方向長さが比較的長くなり、その周方向長さが比較的短くなる。この結果、網目（５５）の形状が略長方形状になる。本実施形態では、相隣り合う放射状部材（５３，５３）の各間隔は１０ｍｍ以下である。このように、相隣り合う放射状部材（５３，５３）の各間隔を１０ｍｍ以下にすると、標準的な人の指が保護カバー（５０）の網目（５５）を通らない。
【００３６】
第２及び第３環状部材（５２ｂ，５２ｃ）間の放射状部材（５３）の数は、第１及び第２環状部材（５２ａ，５２ｂ）間の放射状部材（５３）の数よりも多い。そして、第２及び第３環状部材（５２ｂ，５２ｃ）間、第３及び第４環状部材（５２ｃ，５２ｄ）間、第４及び第５環状部材（５２ｄ，５２ｅ）間、並びに第５及び第６環状部材（５２ｅ，５２ｆ）間の放射状部材（５３）の数はこの順に多くなる。すなわち、相隣り合う環状部材（５２，５２）間の放射状部材（５３）の数は、径方向内側から外側に行くに従って次第に多くなる。なお、第１及び第２環状部材（５２ａ，５２ｂ）間の放射状部材（５３）の数は、中心部材（５１）及び第１環状部材（５２ａ）間の放射状部材（５３）の数よりも多い。本実施形態では、中心部材（５１）及び第１環状部材（５２ａ）間、第１及び第２環状部材（５２ａ，５２ｂ）間、第２及び第３環状部材（５２ｂ，５２ｃ）間、第３及び第４環状部材（５２ｃ，５２ｄ）間、第４及び第５環状部材（５２ｄ，５２ｅ）間、並びに第５及び第６環状部材（５２ｅ，５２ｆ）間の放射状部材（５３）の数はそれぞれ１０、２０、４０、６０、８０、及び９９である。これらの数は、第１及び第２環状部材（５２ａ，５２ｂ）間、第２及び第３環状部材（５２ｂ，５２ｃ）間、第３及び第４環状部材（５２ｃ，５２ｄ）間、第４及び第５環状部材（５２ｄ，５２ｅ）間、並びに第５及び第６環状部材（５２ｅ，５２ｆ）間でそれぞれ相隣り合う放射状部材（５３）の各間隔がほぼ同一になるように決定されている。
【００３７】
以下、図１及び図２を参照しながら、保護カバー（５０）のベルマウス（１６）へのねじ止め固定の工程について説明する。すなわち、雄ねじ５６を保護カバー（５０）の各固定板（５４）のねじ挿通穴（５４ａ）に挿通させた状態でベルマウス（１６）のねじ穴（図示せず）に嵌めて締める。これにより、保護カバー（５０）がベルマウス（１６）にねじ止め固定される。
【００３８】
ここで、空気吸込口（３１，１１）からケーシング（１０）内に流入する空気は、旋回することなく、保護カバー（５０）に対して略直角に流入する。
【００３９】
−効果−
以上により、本実施形態によれば、相隣り合う環状部材（５２，５２）の間隔を、その両環状部材（５２，５２）間で相隣り合う放射状部材（５３，５３）の各間隔よりも大きくしたので、環状部材（５２）と放射状部材（５３）とで囲まれた網目（５５）の径方向長さが比較的長くなり、その周方向長さが比較的短くなる。このように、網目（５５）の径方向長さが比較的長いので、通風抵抗が小さくなり、これに伴って、通風騒音が小さくなる。また、網目（５５）の周方向長さが比較的短いので、室内機（１）のメンテナンスを行う作業者などの指が網目（５５）を通ることを防止できる。そのため、作業者などの指が室内機（１）内のファン（１４）に触れることを確実に防止できる。
【００４０】
以上の結果、通風抵抗を小さくしながら、作業者などの指が室内機（１）内のファン（１４）に触れることを確実に防止できる。
【００４１】
また、相隣り合う環状部材（５２，５２）間で相隣り合う放射状部材（５３，５３）の各間隔を略同一にしたので、相隣り合う環状部材（５２，５２）間で相隣り合う放射状部材（５３，５３）の各間隔を異ならせた場合と比較して、室内機（１）のメンテナンスを行う作業者などの指が網目（５５）を通ることを一層防止できる。そのため、作業者などの指が室内機（１）内のファン（１４）に触れることを一層確実に防止できる。
【００４２】
ところで、第１、第２及び第３環状部材（５２ａ，５２ｂ，５２ｃ）の周方向長さはこの順に長くなるので、第２及び第３環状部材（５２ｂ，５２ｃ）間の放射状部材（５３）の数を第１及び第２環状部材（５２ａ，５２ｂ）間の放射状部材（５３）の数と同一又はこれよりも少なくすると、第２及び第３環状部材（５２ｂ，５２ｃ）間で相隣り合う放射状部材（５３，５３）の各間隔は第１及び第２環状部材（５２ａ，５２ｂ）間で相隣り合う放射状部材（５３，５３）の各間隔よりも大きくなる。この場合、室内機（１）のメンテナンスを行う作業者などの指が第２及び第３環状部材（５２ｂ，５２ｃ）間の網目（５５）を通って室内機（１）内のファン（１４）に触れるおそれがある。
【００４３】
ここで、本実施形態によれば、第２及び第３環状部材（５２ｂ，５２ｃ）間の放射状部材（５３）の数を第１及び第２環状部材（５２ａ，５２ｂ）間の放射状部材（５３）の数よりも多くしたので、第２及び第３環状部材（５２ｂ，５２ｃ）間で相隣り合う放射状部材（５３，５３）の各間隔は第１及び第２環状部材（５２ａ，５２ｂ）間で相隣り合う放射状部材（５３，５３）の各間隔と略同一にし得る。そのため、室内機（１）のメンテナンスを行う作業者などの指が第２及び第３環状部材（５２ｂ，５２ｃ）間の網目（５５）を通ることを防止できる。したがって、作業者などの指が室内機（１）内のファン（１４）に触れることを一層確実に防止できる。
【００４４】
また、保護カバー（５０）を樹脂成形したので、金属で成形した場合と比較して、コストダウンできる。
【００４５】
また、保護カバー（５０）をベルマウス（１６）にねじ止め固定している、すなわち、着脱可能に固定しているので、室内機（１）の利便性を向上させることができる。
【００４６】
（その他の実施形態）
なお、上記実施形態では、室内機（１）のケーシング（１０）に設けられた空気吸込口（１１）を覆う保護カバー（５０）について説明したが、これに限らず、保護カバー（５０）は、室内機（１）以外の空気調和機に設けられた空気吸込口を覆うものであっても良い。
【００４７】
また、上記実施形態では、上記複数の環状部材（５２）として第１〜第６環状部材（５２ａ〜５２ｆ）を配設しているが、２〜５又は７以上の環状部材（５２）を配設しても良い。
【００４８】
また、上記実施形態では、相隣り合う環状部材（５２，５２）間に、上述のような数の放射状部材（５３）をそれぞれ架設しているが、相隣り合う環状部材（５２，５２）の間隔が、その両環状部材（５２，５２）間で相隣り合う放射状部材（５３）の各間隔よりも大きい限り、相隣り合う環状部材（５２，５２）間の放射状部材（５３）の数は、２以上の如何なる値であっても良い。
【００４９】
また、上記実施形態では、各環状部材（５２）の空気流通方向長さを各放射状部材（５３）の空気流通方向長さとほぼ同一にしているが、各環状部材（５２）の空気流通方向長さを各放射状部材（５３）の空気流通方向長さよりも短くしても良い。この場合、各環状部材（５２）の空気流通方向長さを各放射状部材（５３）の空気流通方向長さよりも短くしたので、各環状部材（５２）の空気流通方向長さが比較的短くなる。そのため、通風抵抗が一層小さくなり、これに伴って、通風騒音が一層小さくなる。
【００５０】
また、上記実施形態では、各放射状部材（５３）の横断面形状を略円状にしているが、図６に示すように、各放射状部材（５３）の横断面形状を略翼形にしても良い。この場合、各放射状部材（５３）の横断面形状を略翼形にしたので、通風抵抗が一層小さくなり、これに伴って、通風騒音が一層小さくなる。
【００５１】
また、上記実施形態では、保護カバー（５０）を樹脂で成形しているが、これ以外の材料、例えば金属で成形しても良い。
【００５２】
また、上記実施形態では、保護カバー（５０）をベルマウス（１６）にねじ止め固定しているが、ねじ止め以外の手段で、保護カバー（５０）をベルマウス（１６）に着脱可能に固定しても良い。
【００５３】
また、上記実施形態では、保護カバー（５０）をベルマウス（１６）にねじ止め固定しているが、保護カバー（５０）をベルマウス（１６）と一体に樹脂成形しても良い。この場合、保護カバー（５０）をベルマウス（１６）と一体に成形しているので、一体に成形していない場合と比較して、コストダウンできる。
【００５４】
本発明は、実施形態に限定されず、その精神又は主要な特徴から逸脱することなく他の色々な形で実施することができる。
【００５５】
このように、上述の実施形態はあらゆる点で単なる例示に過ぎず、限定的に解釈してはならない。本発明の範囲は請求の範囲によって示すものであって、明細書本文には何ら拘束されない。さらに、請求の範囲の均等範囲に属する変形や変更は、全て本発明の範囲内のものである。
【産業上の利用可能性】
【００５６】
以上説明したように、本発明に係る保護カバー及びそれを備えた空気調和機は、通風抵抗を小さくしながら、空気調和機のメンテナンスを行う作業者などの指が空気調和機内のファンに触れることを確実に防止する用途等にも適用できる。
【図面の簡単な説明】
【００５７】
【図１】本発明の実施形態に係る室内機の断面図である。
【図２】ケーシングの一部をその下側から見た様子を示す斜視図である。
【図３】保護カバーの平面図である。
【図４】環状部材の横断面図である。
【図５】放射状部材の横断面図である。
【図６】放射状部材の横断面図である。
【符号の説明】
【００５８】
（１）    室内機（空気調和機）
（１０）  ケーシング
（１１）  空気吸込口
（１４）  ファン
（１６）  ベルマウス
（３０）  化粧パネル
（５０）  保護カバー
（５１）  中心部材
（５２）  環状部材
（５３）  放射状部材
（５４）  固定板
（５５）  網目
（Ｆ）    天井
（Ｄ）    ドレン水
【図１】
2007205631.tif 000003
【図２】
2007205631.tif 000004
【図３】
2007205631.tif 000005
【図４】
2007205631.tif 000006
【図５】
2007205631.tif 000007
【図６】
2007205631.tif 000008
【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
空気調和機（１）に設けられた空気吸込口（１１）を覆う保護カバーであって、
同心円状に配設された複数の環状部材（５２）を備え、
相隣り合う環状部材（５２，５２）間には、放射状にかつ直線状に延びる複数の放射状部材（５３）がそれぞれ架設され、
相隣り合う環状部材（５２，５２）の間隔が、該両環状部材（５２，５２）間で相隣り合う放射状部材（５３，５３）の各間隔よりも大きいことを特徴とする保護カバー。
【請求項２】
請求項１記載の保護カバーにおいて、
相隣り合う環状部材（５２，５２）間で相隣り合う放射状部材（５３，５３）の各間隔は略同一であることを特徴とする保護カバー。
【請求項３】
請求項２記載の保護カバーにおいて、
上記複数の環状部材（５２）として、少なくとも、径方向内側から外側に向かって順に配設された第１、第２及び第３環状部材（５２ａ，５２ｂ，５２ｃ）を備え、
上記第２及び第３環状部材（５２ｂ，５２ｃ）間の放射状部材（５３）の数が上記第１及び第２環状部材（５２ａ，５２ｂ）間の放射状部材（５３）の数よりも多いことを特徴とする保護カバー。
【請求項４】
請求項１〜３のいずれか１つに記載の保護カバーにおいて、
上記環状部材（５２）の空気流通方向長さが上記放射状部材（５３）の空気流通方向長さよりも短いことを特徴とする保護カバー。
【請求項５】
請求項１〜４のいずれか１つに記載の保護カバーにおいて、
上記放射状部材（５３）の横断面形状が略翼形であることを特徴とする保護カバー。
【請求項６】
請求項１〜５のいずれか１つに記載の保護カバーにおいて、
樹脂成形されていることを特徴とする保護カバー。
【請求項７】
空気吸込口（１１）が設けられた空気調和機であって、
上記空気吸込口（１１）を覆う請求項１〜６のいずれか１つに記載の保護カバー（５０）を備えたことを特徴とする空気調和機。
【請求項８】
請求項７記載の空気調和機において、
ベルマウス（１６）をさらに備え、
上記保護カバー（５０）は、上記ベルマウス（１６）に着脱可能に固定されていることを特徴とする空気調和機。
【請求項９】
請求項７記載の空気調和機において、
ベルマウス（１６）をさらに備え、
上記保護カバー（５０）は、上記ベルマウス（１６）と一体に成形されていることを特徴とする空気調和機。
【手続補正２】
【補正対象書類名】明細書
【補正対象項目名】全文
【補正方法】変更
【補正の内容】
【発明の詳細な説明】
【技術分野】
【０００１】
本発明は、保護カバー及びそれを備えた空気調和機に関するものである。
【背景技術】
【０００２】
従来から、天井埋込型空気調和機のケーシングに設けられた空気吸込口を覆う保護カバーが知られている。この保護カバーは、空気調和機のメンテナンスを行う作業者などの指がケーシング内のファンに触れることを防止するためのものである。特許文献１のものは、保護カバーは格子状の網目部を有している。
【特許文献１】特開２０００−１１１０８７号公報
【発明の開示】
【発明が解決しようとする課題】
【０００３】
ところで、上記網目部の網目の大きさが小さいと、作業者などの指がファンに触れることを確実に防止できるが、通風抵抗が大きくなり、これに伴って、通風騒音が大きくなる。一方、網目の大きさが大きいと、通風抵抗は小さくなるが、作業者などの指がファンに触れるおそれがある。
【０００４】
そこで、本発明者たちは、通風抵抗が小さく、作業者などの指がファンに触れることを確実に防止する保護カバーを開発した。
【０００５】
本発明は、かかる点に鑑みてなされたものであり、その目的とするところは、通風抵抗が小さく、空気調和機のメンテナンスを行う作業者などの指が空気調和機内のファンに触れることを確実に防止する保護カバー及びそれを備えた空気調和機を提供することにある。
【課題を解決するための手段】
【０００６】
第１の発明は、空気調和機に設けられた空気吸込口を覆う保護カバーであって、同心円状に配設された複数の環状部材を備え、相隣り合う環状部材間には、放射状にかつ直線状に延びる複数の放射状部材がそれぞれ架設され、相隣り合う環状部材の間隔が、該両環状部材間で相隣り合う放射状部材の各間隔よりも大きいことを特徴とするものである。
【０００７】
これにより、相隣り合う環状部材の間隔を、その両環状部材間で相隣り合う放射状部材の各間隔よりも大きくしたので、環状部材と放射状部材とで囲まれた網目の径方向長さが比較的長くなり、その周方向長さが比較的短くなる。このように、網目の径方向長さが比較的長いので、通風抵抗が小さくなり、これに伴って、通風騒音が小さくなる。また、網目の周方向長さが比較的短いので、空気調和機のメンテナンスを行う作業者などの指が網目を通ることを防止できる。そのため、作業者などの指が空気調和機内のファンに触れることを確実に防止できる。
【０００８】
以上の結果、通風抵抗を小さくしながら、作業者などの指が空気調和機内のファンに触れることを確実に防止できる。
【０００９】
第２の発明は、上記第１の発明において、相隣り合う環状部材間で相隣り合う放射状部材の各間隔は略同一であることを特徴とするものである。
【００１０】
これにより、相隣り合う環状部材間で相隣り合う放射状部材の各間隔を略同一にしたので、相隣り合う環状部材間で相隣り合う放射状部材の各間隔を異ならせた場合と比較して、空気調和機のメンテナンスを行う作業者などの指が網目を通ることを一層防止できる。そのため、作業者などの指が空気調和機内のファンに触れることを一層確実に防止できる。
【００１１】
第３の発明は、上記２の発明において、上記複数の環状部材として、少なくとも、径方向内側から外側に向かって順に配設された第１、第２及び第３環状部材を備え、上記第２及び第３環状部材間の放射状部材の数が上記第１及び第２環状部材間の放射状部材の数よりも多いことを特徴とするものである。
【００１２】
ところで、第１、第２及び第３環状部材の周方向長さはこの順に長くなるので、第２及び第３環状部材間の放射状部材の数を第１及び第２環状部材間の放射状部材の数と同一又はこれよりも少なくすると、第２及び第３環状部材間で相隣り合う放射状部材の各間隔は第１及び第２環状部材間で相隣り合う放射状部材の各間隔よりも大きくなる。この場合、空気調和機のメンテナンスを行う作業者などの指が第２及び第３環状部材間の網目を通って空気調和機内のファンに触れるおそれがある。
【００１３】
ここで、本発明によれば、第２及び第３環状部材間の放射状部材の数を第１及び第２環状部材間の放射状部材の数よりも多くしたので、第２及び第３環状部材間で相隣り合う放射状部材の各間隔は第１及び第２環状部材間で相隣り合う放射状部材の各間隔と略同一にし得る。そのため、空気調和機のメンテナンスを行う作業者などの指が第２及び第３環状部材間の網目を通ることを防止できる。したがって、作業者などの指が空気調和機内のファンに触れることを一層確実に防止できる。
【００１４】
第４の発明は、上記第１〜第３の発明のいずれか１つにおいて、上記環状部材の空気流通方向長さが上記放射状部材の空気流通方向長さよりも短いことを特徴とするものである。
【００１５】
これにより、環状部材の空気流通方向長さを放射状部材の空気流通方向長さよりも短くしたので、環状部材の空気流通方向長さが比較的短くなる。そのため、通風抵抗が一層小さくなり、これに伴って、通風騒音が一層小さくなる。
【００１６】
第５の発明は、上記第１〜第４の発明のいずれか１つにおいて、上記放射状部材の横断面形状が略翼形であることを特徴とするものである。
【００１７】
これにより、放射状部材の横断面形状を略翼形にしたので、通風抵抗が一層小さくなり、これに伴って、通風騒音が一層小さくなる。
【００１８】
第６の発明は、上記第１〜第５の発明のいずれか１つにおいて、樹脂成形されていることを特徴とするものである。
【００１９】
これにより、保護カバーを樹脂成形したので、金属で成形した場合と比較して、コストダウンできる。
【００２０】
第７の発明は、空気吸込口が設けられた空気調和機であって、上記空気吸込口を覆う上記第１〜第６の発明のいずれか１つを備えたことを特徴とするものである。
【００２１】
第８の発明は、上記第７の発明において、ベルマウスをさらに備え、上記保護カバーは、上記ベルマウスに着脱可能に固定されていることを特徴とするものである。
【００２２】
これにより、保護カバーをベルマウスに着脱可能に固定しているので、空気調和機の利便性を向上させることができる。
【００２３】
第９の発明は、上記第７の発明において、ベルマウスをさらに備え、上記保護カバーは、上記ベルマウスと一体に成形されていることを特徴とするものである。
【００２４】
これにより、保護カバーをベルマウスと一体に成形しているので、一体に成形していない場合と比較して、コストダウンできる。
【発明の効果】
【００２５】
本発明によれば、相隣り合う環状部材の間隔を、その両環状部材間で相隣り合う放射状部材の各間隔よりも大きくしたので、環状部材と放射状部材とで囲まれた網目の径方向長さが比較的長くなり、その周方向長さが比較的短くなる。そのため、通風抵抗を小さくしながら、作業者などの指が空気調和機内のファンに触れることを確実に防止できる。
【発明を実施するための最良の形態】
【００２６】
以下、本発明の実施形態を図面に基づいて詳細に説明する。
【００２７】
図１は、室内機の断面図であり、図２は、ケーシングの一部をその下側から見た様子を示す斜視図であり、図３は、保護カバーの平面図であり、図４は、環状部材の横断面図であり、図５は、放射状部材の横断面図である。
【００２８】
図１に示すように、本実施形態に係る室内機（空気調和機に相当）（１）は、室内の天井裏に埋設配置された天井埋込型のものである。室内機（１）は、天井（Ｆ）の上側に埋設配置された略直方体状のケーシング（１０）と、そのケーシング（１０）の底面に装着された略正方形状の化粧パネル（３０）とを備えている。
【００２９】
ケーシング（１０）の底部の中央部には、略円状の空気吸込口（１１）が設けられている。ケーシング（１０）の底部の空気吸込口（１１）の周囲には、略長方形状の４つの空気吹出口（１２）が空気吸込口（１１）を囲むように形成されている。ケーシング（１０）内における空気吸込口（１１）と空気吹出口（１２）とを結ぶ空気通路（１３）には、ファン（１４）が配設されている。ケーシング（１０）内におけるファン（１４）の下方（吸込み側）には、ベルマウス（１６）が配設されている。このベルマウス（１６）は、樹脂成形されている。
【００３０】
ケーシング（１０）内のファン（１４）の周囲には、熱交換器（１７）がファン（１４）を囲むように配設されている。この熱交換器（１７）は、例えばクロスフィンコイル型のものである。熱交換器（１７）は、平面視で略正方形状に形成されている。ケーシング（１０）内の熱交換器（１７）の下方には、ドレンパン（１８）が熱交換器（１７）に対応するように配設されている。このドレンパン（１８）は、熱交換器（１７）からのドレン水（Ｄ）を溜めるためのものである。ドレンパン（１８）は、平面視で略正方形状でかつ横断面略Ｕ字状に形成されている。ドレンパン（１８）には、排水ポンプ（１９）が配設されている。この排水ポンプ（１９）は、ドレンパン（１８）に溜まったドレン水（Ｄ）を排出するためのものである。
【００３１】
化粧パネル（３０）の中央部には、略正方形状の空気吸込口（３１）がケーシング（１０）の空気吸込口（１１）に対応するように形成されている。化粧パネル（３０）の空気吸込口（３１）の周囲には、略長方形状の４つの空気吹出口（３２）が空気吸込口（３１）を囲むように形成されている。これらの空気吹出口（３２）は、ケーシング（１０）の各空気吹出口（１２）にそれぞれ対応するように配置されている。
【００３２】
図１及び図２に示すように、ベルマウス（１６）には、保護カバー（５０）が空気吸込口（１１）を覆うようにねじ止め固定されている。この保護カバー（５０）は、室内機（１）のメンテナンスを行う作業者などの指がケーシング（１０）内のファン（１４）に触れることを防止するための網状のものである。保護カバー（５０）は、樹脂成形されている。
【００３３】
図３に示すように、保護カバー（５０）は、中心部材（５１）と、その中心部材（５１）を中心として同心円状に配設された複数の環状部材（５２）とを備えている。本実施形態では、上記複数の環状部材（５２）として第１〜第６環状部材（５２ａ〜５２ｆ）が径方向内側から外側に向かって順に配設されている。各環状部材（５２）は棒状のものであり、その横断面形状は略円状である（図４を参照）。第３及び第４環状部材（５２ｃ，５２ｄ）、第４及び第５環状部材（５２ｄ，５２ｅ）、並びに第５及び第６環状部材（５２ｅ，５２ｆ）の間隔はそれぞれほぼ同一である。第２及び第３環状部材（５２ｂ，５２ｃ）の間隔は、第３及び第４環状部材（５２ｃ，５２ｄ）の間隔よりも大きい。中心部材（５１）及び第１環状部材（５２ａ）、並びに第１及び第２環状部材（５２ａ，５２ｂ）の間隔はそれぞれほぼ同一であって、第３及び第４環状部材（５２ｃ，５２ｄ）の間隔よりも小さい。第６環状部材（５２ｆ）は、一部が直線状に形成され、これ以外の一部が径方向内側に凹んだ段差状に形成されている。第６環状部材（５２ｆ）には、４つの固定板（５４）が径方向外側に延びるように取付け固定されている。これらの固定板（５４）には、略円状のねじ挿通穴（５４ａ）がそれぞれ形成されている。
【００３４】
相隣り合う中心部材（５１）及び環状部材（５２）間、並びに相隣り合う環状部材（５２，５２）間には、放射状にかつ直線状に延びる複数の放射状部材（５３）がそれぞれ掛け渡されている。各放射状部材（５３）は棒状のものであり、その横断面形状は略円状である（図５を参照）。各放射状部材（５３）の空気流通方向長さ（上下方向長さ。図３の紙面を貫く方向の長さ）は、各環状部材（５２）の空気流通方向長さとほぼ同一である。
【００３５】
相隣り合う環状部材（５２，５２）の間隔は、その両環状部材（５２，５２）間で相隣り合う放射状部材（５３，５３）の各間隔よりも大きく、相隣り合う環状部材（５２，５２）間で相隣り合う放射状部材（５３，５３）の各間隔はほぼ同一である。このため、環状部材（５２）と放射状部材（５３）とで囲まれた網目（５５）の径方向長さが比較的長くなり、その周方向長さが比較的短くなる。この結果、網目（５５）の形状が略長方形状になる。本実施形態では、相隣り合う放射状部材（５３，５３）の各間隔は１０ｍｍ以下である。このように、相隣り合う放射状部材（５３，５３）の各間隔を１０ｍｍ以下にすると、標準的な人の指が保護カバー（５０）の網目（５５）を通らない。
【００３６】
第２及び第３環状部材（５２ｂ，５２ｃ）間の放射状部材（５３）の数は、第１及び第２環状部材（５２ａ，５２ｂ）間の放射状部材（５３）の数よりも多い。そして、第２及び第３環状部材（５２ｂ，５２ｃ）間、第３及び第４環状部材（５２ｃ，５２ｄ）間、第４及び第５環状部材（５２ｄ，５２ｅ）間、並びに第５及び第６環状部材（５２ｅ，５２ｆ）間の放射状部材（５３）の数はこの順に多くなる。すなわち、相隣り合う環状部材（５２，５２）間の放射状部材（５３）の数は、径方向内側から外側に行くに従って次第に多くなる。なお、第１及び第２環状部材（５２ａ，５２ｂ）間の放射状部材（５３）の数は、中心部材（５１）及び第１環状部材（５２ａ）間の放射状部材（５３）の数よりも多い。本実施形態では、中心部材（５１）及び第１環状部材（５２ａ）間、第１及び第２環状部材（５２ａ，５２ｂ）間、第２及び第３環状部材（５２ｂ，５２ｃ）間、第３及び第４環状部材（５２ｃ，５２ｄ）間、第４及び第５環状部材（５２ｄ，５２ｅ）間、並びに第５及び第６環状部材（５２ｅ，５２ｆ）間の放射状部材（５３）の数はそれぞれ１０、２０、４０、６０、８０、及び９９である。これらの数は、第１及び第２環状部材（５２ａ，５２ｂ）間、第２及び第３環状部材（５２ｂ，５２ｃ）間、第３及び第４環状部材（５２ｃ，５２ｄ）間、第４及び第５環状部材（５２ｄ，５２ｅ）間、並びに第５及び第６環状部材（５２ｅ，５２ｆ）間でそれぞれ相隣り合う放射状部材（５３）の各間隔がほぼ同一になるように決定されている。
【００３７】
以下、図１及び図２を参照しながら、保護カバー（５０）のベルマウス（１６）へのねじ止め固定の工程について説明する。すなわち、雄ねじ５６を保護カバー（５０）の各固定板（５４）のねじ挿通穴（５４ａ）に挿通させた状態でベルマウス（１６）のねじ穴（図示せず）に嵌めて締める。これにより、保護カバー（５０）がベルマウス（１６）にねじ止め固定される。
【００３８】
ここで、空気吸込口（３１，１１）からケーシング（１０）内に流入する空気は、旋回することなく、保護カバー（５０）に対して略直角に流入する。
【００３９】
−効果−
以上により、本実施形態によれば、相隣り合う環状部材（５２，５２）の間隔を、その両環状部材（５２，５２）間で相隣り合う放射状部材（５３，５３）の各間隔よりも大きくしたので、環状部材（５２）と放射状部材（５３）とで囲まれた網目（５５）の径方向長さが比較的長くなり、その周方向長さが比較的短くなる。このように、網目（５５）の径方向長さが比較的長いので、通風抵抗が小さくなり、これに伴って、通風騒音が小さくなる。また、網目（５５）の周方向長さが比較的短いので、室内機（１）のメンテナンスを行う作業者などの指が網目（５５）を通ることを防止できる。そのため、作業者などの指が室内機（１）内のファン（１４）に触れることを確実に防止できる。
【００４０】
以上の結果、通風抵抗を小さくしながら、作業者などの指が室内機（１）内のファン（１４）に触れることを確実に防止できる。
【００４１】
また、相隣り合う環状部材（５２，５２）間で相隣り合う放射状部材（５３，５３）の各間隔を略同一にしたので、相隣り合う環状部材（５２，５２）間で相隣り合う放射状部材（５３，５３）の各間隔を異ならせた場合と比較して、室内機（１）のメンテナンスを行う作業者などの指が網目（５５）を通ることを一層防止できる。そのため、作業者などの指が室内機（１）内のファン（１４）に触れることを一層確実に防止できる。
【００４２】
ところで、第１、第２及び第３環状部材（５２ａ，５２ｂ，５２ｃ）の周方向長さはこの順に長くなるので、第２及び第３環状部材（５２ｂ，５２ｃ）間の放射状部材（５３）の数を第１及び第２環状部材（５２ａ，５２ｂ）間の放射状部材（５３）の数と同一又はこれよりも少なくすると、第２及び第３環状部材（５２ｂ，５２ｃ）間で相隣り合う放射状部材（５３，５３）の各間隔は第１及び第２環状部材（５２ａ，５２ｂ）間で相隣り合う放射状部材（５３，５３）の各間隔よりも大きくなる。この場合、室内機（１）のメンテナンスを行う作業者などの指が第２及び第３環状部材（５２ｂ，５２ｃ）間の網目（５５）を通って室内機（１）内のファン（１４）に触れるおそれがある。
【００４３】
ここで、本実施形態によれば、第２及び第３環状部材（５２ｂ，５２ｃ）間の放射状部材（５３）の数を第１及び第２環状部材（５２ａ，５２ｂ）間の放射状部材（５３）の数よりも多くしたので、第２及び第３環状部材（５２ｂ，５２ｃ）間で相隣り合う放射状部材（５３，５３）の各間隔は第１及び第２環状部材（５２ａ，５２ｂ）間で相隣り合う放射状部材（５３，５３）の各間隔と略同一にし得る。そのため、室内機（１）のメンテナンスを行う作業者などの指が第２及び第３環状部材（５２ｂ，５２ｃ）間の網目（５５）を通ることを防止できる。したがって、作業者などの指が室内機（１）内のファン（１４）に触れることを一層確実に防止できる。
【００４４】
また、保護カバー（５０）を樹脂成形したので、金属で成形した場合と比較して、コストダウンできる。
【００４５】
また、保護カバー（５０）をベルマウス（１６）にねじ止め固定している、すなわち、着脱可能に固定しているので、室内機（１）の利便性を向上させることができる。
【００４６】
（その他の実施形態）
なお、上記実施形態では、室内機（１）のケーシング（１０）に設けられた空気吸込口（１１）を覆う保護カバー（５０）について説明したが、これに限らず、保護カバー（５０）は、室内機（１）以外の空気調和機に設けられた空気吸込口を覆うものであっても良い。
【００４７】
また、上記実施形態では、上記複数の環状部材（５２）として第１〜第６環状部材（５２ａ〜５２ｆ）を配設しているが、２〜５又は７以上の環状部材（５２）を配設しても良い。
【００４８】
また、上記実施形態では、相隣り合う環状部材（５２，５２）間に、上述のような数の放射状部材（５３）をそれぞれ架設しているが、相隣り合う環状部材（５２，５２）の間隔が、その両環状部材（５２，５２）間で相隣り合う放射状部材（５３）の各間隔よりも大きい限り、相隣り合う環状部材（５２，５２）間の放射状部材（５３）の数は、２以上の如何なる値であっても良い。
【００４９】
また、上記実施形態では、各環状部材（５２）の空気流通方向長さを各放射状部材（５３）の空気流通方向長さとほぼ同一にしているが、各環状部材（５２）の空気流通方向長さを各放射状部材（５３）の空気流通方向長さよりも短くしても良い。この場合、各環状部材（５２）の空気流通方向長さを各放射状部材（５３）の空気流通方向長さよりも短くしたので、各環状部材（５２）の空気流通方向長さが比較的短くなる。そのため、通風抵抗が一層小さくなり、これに伴って、通風騒音が一層小さくなる。
【００５０】
また、上記実施形態では、各放射状部材（５３）の横断面形状を略円状にしているが、図６に示すように、各放射状部材（５３）の横断面形状を略翼形にしても良い。この場合、各放射状部材（５３）の横断面形状を略翼形にしたので、通風抵抗が一層小さくなり、これに伴って、通風騒音が一層小さくなる。
【００５１】
また、上記実施形態では、保護カバー（５０）を樹脂で成形しているが、これ以外の材料、例えば金属で成形しても良い。
【００５２】
また、上記実施形態では、保護カバー（５０）をベルマウス（１６）にねじ止め固定しているが、ねじ止め以外の手段で、保護カバー（５０）をベルマウス（１６）に着脱可能に固定しても良い。
【００５３】
また、上記実施形態では、保護カバー（５０）をベルマウス（１６）にねじ止め固定しているが、保護カバー（５０）をベルマウス（１６）と一体に樹脂成形しても良い。この場合、保護カバー（５０）をベルマウス（１６）と一体に成形しているので、一体に成形していない場合と比較して、コストダウンできる。
【００５４】
本発明は、実施形態に限定されず、その精神又は主要な特徴から逸脱することなく他の色々な形で実施することができる。
【００５５】
このように、上述の実施形態はあらゆる点で単なる例示に過ぎず、限定的に解釈してはならない。本発明の範囲は請求の範囲によって示すものであって、明細書本文には何ら拘束されない。さらに、請求の範囲の均等範囲に属する変形や変更は、全て本発明の範囲内のものである。
【産業上の利用可能性】
【００５６】
以上説明したように、本発明に係る保護カバー及びそれを備えた空気調和機は、通風抵抗を小さくしながら、空気調和機のメンテナンスを行う作業者などの指が空気調和機内のファンに触れることを確実に防止する用途等にも適用できる。
【図面の簡単な説明】
【００５７】
【図１】本発明の実施形態に係る室内機の断面図である。
【図２】ケーシングの一部をその下側から見た様子を示す斜視図である。
【図３】保護カバーの平面図である。
【図４】環状部材の横断面図である。
【図５】放射状部材の横断面図である。
【図６】放射状部材の横断面図である。
【符号の説明】
【００５８】
（１）    室内機（空気調和機）
（１０）  ケーシング
（１１）  空気吸込口
（１４）  ファン
（１６）  ベルマウス
（３０）  化粧パネル
（５０）  保護カバー
（５１）  中心部材
（５２）  環状部材
（５３）  放射状部材
（５４）  固定板
（５５）  網目
（Ｆ）    天井
（Ｄ）    ドレン水